(57)【要約】【課題】中高齢男性において、薬剤処方により勃起回復は普通のこととなるも、それに伴う激しい体力消耗は俗に腹上死と言われる性交死に到る不安を広く顕在化させている。その不安を取り除くことにある。【解決手段】男女性器結合の間にシリコン樹脂成型でなる円筒体挿具（Ａ）を介在させ、男性が身体を静止状態のまま手操作によって前記円筒体挿具を往復動操作し、それを繰返すことで腰の所謂往復運動に代えて実効するものであり、この操作によって両性はこれまでと同様に至福を経て終了の領域に到達するものとなり健康増進が得られる。一連の状況の中に従来の男性による激しい運動は不要化されるもので、それが体力消耗を起因とする腹上死発生を未然に防止する。円筒体挿具（Ａ）によって中高齢の当事者は爾後の体力温存を実感して不安が解消される。【選択図】図１
2017189570.tif 000002
【特許請求の範囲】
【請求項１】
勃起不全治療の薬剤処方を受け性行為実行に際して併用する体力消耗を回避する装具であって、前記装具は結合する両性器間に介在させて両性が共有するシリコン樹脂成型になる円筒体挿具（Ａ）を構成し、
前記挿具（Ａ）を当該者が操作して行為の主体的往復運動を代替する構造であること、
を特徴とした中高齢者健康増進装具。
【請求項２】
請求項１における円筒体挿具（Ａ）は一端を略半球状にしてなるその外形は少なくとも凸部を有する模擬陰茎（１０）を形成し、
他端の開口端部（３０）は挿入口を形成し、その奥部の円筒体内形壁は少なくとも凸部を有する模擬膣（４０）を形成し、
前記内形と外形によって当該円筒体は両性の少なくとも形状的機能を同時に代替することができる構成とした内外一体構造と、
前記円筒体挿具製作時の構造は少なくとも内壁の展開を可能とする半割り構造であり、当該の二個を合わせて円筒体を構成する二分割構造と、
によって成ることを特徴とした中高齢者健康増進装具。
【請求項３】
請求項２における模擬陰茎（１０）の後方部は手で支持操作するための支持領域（３５）であり、前記支持領域（３５）を除く前方は挿入領域（３４）であり、その領域を隔てる壁である鍔（２０）の設置によって過剰挿入を防止する安全構造と、
前記分割構造の合せ面に軸方向に溝を設けて縦断溝とし、これを円筒体先端部から少なくとも鍔（２０）の後方に貫通させて、使用時に円筒体の奥部に篭もる閉塞空気を解放する通気孔道（５０）とした通気構造と、
によって成ることを特徴とした中高齢者健康増進装具。
【発明の詳細な説明】
【発明の属する産業分野】
【０００１】本発明は所謂腹上死として表現されている性交死の発生を低減、あるいは防止するための装具に関する。
【背景技術】
【０００２】加齢に伴う精力減退は、近年バイアグラ（登録商標）などを始めとした治療薬剤処方を受けることで勃起回復を実現することが比較的容易となり、一定の層を形成する人達にとって福音となっているが、この場合も行為には激しい運動が伴うことには変わりなく、そのことはむしろ自然に過労という危険の範疇に身を委ねるものとなっている。【０００３】それは従来、高血圧の人が激しい運動となる性の励み過ぎにより血圧が上がり脳出血を起すことや、心臓疾患の人が同様にして心拍異常となり心停止に至るなど、事故に繋がり易い重大な課題が潜在するにも拘らず、それは個々の責任に帰する健康管理の問題と暗黙されているのが現状である。
【先行技術文献】
【特許文献】
【０００４】本願中高齢者体力消耗防止装具に対比すべき先行技術例を発見することができなかった。
【発明の概要】
【発明が解決しようとする課題】
【０００５】一般に性交は男性にとって非常に体力を消耗する過酷な運動であるために、中高齢者や心臓疾患のある人や高血圧の人などは方法を工夫するなどして過度な消耗を防ぐ必要があるとされている。然るにその発奮目的のための勃起回復治療薬の処方を受けるのであれば敢えて突き進むしか道はなく、工夫の余地も残されていないのである。【０００６】更にパートナーも身体的減退あったとしてもそれは自然としてそれを補うなどの配慮から男性が薬剤効果を得て注力するとその運動は必然的に過酷なものになり、男性は疲労と消耗の懸念を認識しつつも激務を遂行し遂に消耗の極まで達するなど、爾後の疲労状況は危機的であろうと思量される。このような処方薬剤によって驚異的な性的改善が図られる状況に当該者は遭遇し、俗に腹上死と言われる性交死に繋がる可能性が増大するのではないかとの不安を実感せざるを得ないものがあった。【０００７】本発明はこうした薬剤処方に依る対象者が増加傾向にある現状に鑑みなされたもので、その認識の程度に拘らず体力の激しい消耗は厳然と自覚せざるを得ない中で、潜在する弊害すなわち、極度の消耗を原因とした病気の発症や、その後寝たきりの生活になるなどの重症化、あるいは最悪の場合不幸にも腹上死に終るなど、こうした重大な事態に到ることを未然に防止することを目的とする。【０００８】薬剤効果に伴って必然となる、主に男性の激しい運動部分を低減しあるいは削減することを行為の達成感を損なうことなく実現し、特に中高齢者における体力消耗を軽減若しくは削減することで爾後への体力温存を実現することを、装具の介在によって図りそのための具体化された装具を提供することを課題とする。
【課題を解決するための手段】
【０００９】勃起不全治療の薬剤処方を受け性行為実行に際して併用する体力消耗を回避する装具であって、前記装具は結合する両性器間に介在させて両性が共有するシリコン樹脂成型になる円筒体挿具（Ａ）を構成し、
前記挿具（Ａ）を当該者が操作して行為の主体的往復運動を代替する構造であること
を特徴とした中高齢者健康増進装具である。【００１０】前記請求項１における円筒体挿具（Ａ）は一端を略半球状にしてなるその外形は少なくとも凸部を有する模擬陰茎（１０）を形成し、
他端の開口端部（３０）は挿入口を形成し、その奥部の円筒体内形壁は少なくとも凸部を有する模擬膣（４０）を形成し、
前記内形と外形によって当該円筒体は両性の少なくとも形状的機能を同時に代替することができる構成とした内外一体構造と、
前記円筒体挿具製作時の構造は少なくとも内壁の展開を可能とする半割り構造であり、当該の二個を合わせて円筒体を構成する二分割構造と、
によって成ることを特徴とした中高齢者健康増進装具である。【００１１】前記請求項２における模擬陰茎（１０）の後方部は手で支持操作するための支持領域（３５）であり、前記支持領域（３５）を除く前方は挿入領域（３４）であり、その領域を隔てる壁である鍔（２０）の設置によって過剰挿入を防止する安全構造と、
前記分割構造の合せ面に軸方向に溝を設けて縦断溝とし、これを円筒体先端部から少なくとも鍔（２０）の後方に貫通させて、使用時に円筒体の奥部に篭もる閉塞空気を解放する通気孔道（５０）とした通気構造と、
によって成ることを特徴とした中高齢者健康増進装具である。
【発明の効果】
【００１２】本発明装具によって両性行為の終了誘導と体力消耗回避が実現され、少なくとも性行為による過酷な体力消耗を原因とした性交死の発生を未然に防止することを実現したものである。【００１３】本発明挿具により両性二人態において、前記往復運動が不要化される静的プレイという革新的行為に転換したことで、高揚と至福を経て終了の余韻へ到達するもなお男性はその体力が温存されているという健康増進史上初と考えられる成果を生み出したものである。【００１４】本発明装具の使用によって爾後に劇的な体力温存ができることは体力消耗に起因する身体的トラブルには至らないであろう蓋然性を我が身を介してより実感するものとなり、その安心感と共に、さらに処方薬の効果などにより勃起の持続があるならば、連続二度、三度とトライすることが無理なく可能となって、疲れを知らない若返りの実現となり、従来、性に励み過ぎることは生命を賭しての行為になると捉えて薬剤に頼ることを敬遠して来た人達にも広く健康増進の実現を提供したものである。【００１５】過度な体力消耗は死に至らぬまでも脳溢血など発症すると重い後遺症に至る危険が高くなるが、本発明装具は静的プレイによって体力消耗を始めから無しとする課題解決によって、国家的視野においても医療費低減に寄与するものとなり、公私共に社会的意義は極めて大きいものがある。
【図面の簡単な説明】
【００１６】
【図１】本発明中高齢者健康増進装具の各図  （イ）円筒体挿具の斜視図、（ロ）円筒体挿具の縦断面図、
【図２】本発明中高齢者健康増進装具の使用方法を示す平面断面図
【図３】本発明中高齢者健康増進装具の横断面図
【発明を実施するための形態】
【００１７】本発明を図面によって説明すると、図１（イ）はシリコン成型でなる円筒体挿具Ａの外観であり、一端は略半球状をなし、他端とを隔てる鍔２０を設置している。
【００１８】図１（ロ）は円筒体Ａの縦断面図であり、前方の挿入領域３４は凸部を有する模擬陰茎１０としての外形を形成し、後方の支持領域３５は指で挟持して支持する指掛り３６を形成する。前後の領域を分ける鍔２０により両領域の機能を隔て、鍔２０は模擬陰茎１０の長さを決定付け、過剰挿入を防止する役割を有する。
【００１９】開口端部３０から始まる空洞内部は凸部を有する模擬膣４０を形成し、これによって円筒体Ａはその外形、内形によって両性の機能を同時に保持する一体物とした挿具を形成する。
【００２０】図２は当該挿具の使用方法を表す平面断面図であり、両性の位置関係を示し円筒体挿具Ａを共有する状態を表す。両性の身体間は往復運動一行程分の距離を保持し、引き続き男性Ｍは体を静止したまま指掛り３６を指で支持しながら円筒体挿具Ａを手先で前後させ、手先往復動を繰返すことで両性を同時にマッサージすることを実効し健康増進する。
【００２１】円筒体Ａの外形は模擬陰茎１０として陰茎Ｐより一回り大きな形状となることが必然であるが、その拡大差と共にこれを膣Ｖに挿入することに女性側はその伸縮筋の働きで自然に吸収消化されることから本発明装具は両性間において密接な相互関係を構築する。
【００２２】模擬陰茎１０にコンドームを装着する際に、鍔２０の溝２５部にコンドームの巻口部を系止することで固定される。
【００２３】本発明によるシリコン円筒体が健康増進に有効に作用する所以とするものは、近似例としてのジョークグッズがあり、現代社会の一部においてさまざまな男女装具が提供され、通信販売システムの発達と共に男性、女性用共に広く普及している現状に鑑みると、その状況はこの分野における自由市場の支持を得た素材の有効性を示すもので、近似例ではあるが状況はそれを傍証と捉えることが出来るものである。
【００２４】次いで、重要な要素として素材が形成する形状がある。前記した装具に対し配置された素材の特性を活かした突条や凸部などの多彩な造形により一部には自然体を超え得る感覚に至るといわれるほどの形状技術に裏打ちされたもので、その装具流通隆盛の現状は前記と対をなして構成される有効性であり、その実情を参考として本発明は成されたものである。
【００２５】薬剤処方を受ける中高齢者の増大は、男女の自然な願望行為を体力的に安全に終了させ、その後も無事でありたいとの危惧を抱いたままに実行されるものと推察できるものであり、その結果においても消耗の極に到るであろうことが思量される。こうした状況を踏まえて二人使いの健康装具という従来には無かった新しい概念により本発明は創出されたものである。
【００２６】静的プレイとは、本来主として男性の激しい運動に対して両者が呼応し合う営みのかたちを一つの挿具を以って代替し、それによって至福の感覚を両性に同時に再現できるものであることから、これまでの激しい運動の不要化を確定したものである。すなわち、両性間に挿着介在させて身体は運動的には静止のままに居ながら、これを手先の往復動によるだけの操作で一連の営み効果を再現し、両性一体に高揚と至福を経て余韻に到ることが再現される。この状況から本発明においては静的プレイと称する。
【００２７】本発明に掛る円筒形挿具を挿入使用中において、膣圧による挿具の変形を防止するため少なくともそれに耐え得る強度を保持する必要があり、その手段として複数のシリコン素材を異なる硬度によって積層構成することも良く、また、適切な強度を有する樹脂素材を心材４５として肉厚の中に配設することも効果が得られる。
【００２８】本発明に掛るシリコン円筒体は図３に表すように縦に二分割した形状で制作し、分割面で互いの凹凸が噛合う嵌め合いによって組立てることで円筒形が復元され、使用に供することができる。使用後はこれを自在に分解し内面を露わに開放して清掃と清潔な維持を容易に行い得るようにした。
【００２９】二分割された形状を切り離すことなく、軸方向に沿った片方を連結状態による蝶番として一体成型とすることも良く、また、一端が略半球でなるシリコン円筒体に代えて半球部の無い管体とすることも良い。
【００３０】前記嵌め合い構造の一部に細長い空洞路を設け、これを縦断溝として先端部から後部まで通し、両体合せてこれを通気孔道５０として構成し、使用時に円筒体先端部にできる閉塞された空気溜りを外部へ通気することで、圧縮される空気溜りによる身体部分への違和感などの発生が防止される。
【００３１】本発明中高齢者健康増進装具における摸擬陰茎の外形は必然的に太目となるが、これを太くしない例として、平均的直径の挿入領域でなる新たな模擬陰茎を模擬陰茎１０の先端に増設することにより実現可能である。この場合は装具としての全長は本来よりも概ね２倍となる。
【００３２】請求項２における形状的機能とは、穴体と軸体の二者、すなわち両性器が結合することで相互に依存し合う相互機能であり、組み合わされることが可能な形状の一体化機能である。
【００３３】二人態とは二人で行う協同行為である。
【００３４】性交によって快感することは健康の証であり、健康増進は衣食住と共に人類が追求する生の根本事項でもあるならば、本発明は極めて重大な意味を有するものである。
【符号の説明】
【００３５】１０：模擬陰茎
２０：鍔
２５：溝
３０：開口端部
３４：挿入領域
３５：支持領域
３６：指掛り
４０：模擬膣
４５：心材
５０：通気孔道
Ａ：円筒体挿具
Ｌ：女性
Ｍ：男性
Ｐ：陰茎
Ｖ：膣
【図１】
2017189570.tif 000003
【図２】
2017189570.tif 000004
【図３】
2017189570.tif 000005